(57)【要約】【課題】主灯の点灯中にファンに異常が起こった場合でも、被検体内から内視鏡を抜去するに充分な視野を確保し、内視鏡検査の作業性と安全性を向上させる。【解決手段】ファン６０の近傍にファン６０の回転を検知する温度センサ６１を設ける。キセノンランプ５４の点灯中、ファン６０の回転数が一定以下になると、ＣＰＵ５３はキセノンランプ５４を一定時間は点灯させ続け、その後消灯させる。ファン６０の異常時に、直ちにキセノンランプ５４を消灯させる場合や、予備灯であるハロゲンランプ５５に切り換える場合に比べ、高い光量を保ち、体腔内における視野を充分に確保し、安全かつ効率的に体腔内から電子内視鏡５を抜去することができる。また、キセノンランプ５４は一定時間後に消灯されるので、一定時間を越えての使用や消灯し忘れによって、光源装置８内が過剰に熱せられることはない。【選択図】図２
2010000184.tif 000002
【特許請求の範囲】
【請求項１】
コネクタ接続される内視鏡のライトガイドの入射端に配され、被検体内を照明するための照明光を発する光源であり、通常時に点灯される主灯、および前記主灯よりも照明光の光量が少なく、前記主灯が正常に点灯しない時に前記主灯の代用として点灯される予備灯と、
前記光源を冷却するファンと、
前記ファンの動作異常を検知する検知手段と、
前記主灯の点灯中に前記検知手段で前記ファンの動作異常が検知されたとき、前記主灯を直ちには消灯させず一定時間は点灯させ続け、前記一定時間後に前記主灯を消灯させる制御手段と、
を備えることを特徴とする内視鏡用光源装置。
【請求項２】
前記制御手段は、前記検知手段で前記ファンの動作異常が検知されたときに、前記主灯を点灯させるための電力を、通常の点灯時よりも下げ、この状態で前記一定時間点灯させ続けた後に消灯させることを特徴とする請求項１記載の内視鏡用光源装置。
【請求項３】
前記制御手段は、前記検知手段で前記ファンの動作異常が検知されたときに、前記主灯を点灯させるための電力を、前記一定時間内で徐々に下げることを特徴とする請求項１記載の内視鏡用光源装置。
【請求項４】
前記制御手段は、前記検知手段で前記ファンの動作異常が検知されたときに、前記主灯を点灯させるための電力を、点灯に足る下限値まで下げることを特徴とする請求項１ないし３のいずれかに記載の内視鏡用光源装置。
【請求項５】
前記制御手段は、前記検知手段で前記ファンの動作異常が検知されたときに、前記主灯を前記一定時間点灯させた後、前記主灯を消灯させるとともに前記予備灯を点灯させ、前記予備灯を一定時間点灯させた後、前記予備灯を消灯させることを特徴とする請求項１ないし４のいずれかに記載の内視鏡用光源装置。
【請求項６】
前記主灯はキセノンランプであり、前記予備灯は、前記キセノンランプを点灯させるための電力が、点灯に足る下限値に下げられた時の前記キセノンランプよりも発熱量が少ないハロゲンランプであることを特徴とする請求項１ないし５のいずれかに記載の内視鏡用光源装置。
【請求項７】
前記主灯はＨＩＤランプであり、前記予備灯は、前記ＨＩＤランプを点灯させるための電力が、点灯に足る下限値に下げられた時の前記ＨＩＤランプよりも発熱量が少ない白色ＬＥＤであることを特徴とする請求項１ないし５のいずれかに記載の内視鏡用光源装置。
【請求項８】
前記制御手段は、前記予備灯の点灯中に前記検知手段で前記ファンの動作異常が検知されたとき、前記予備灯を直ちには消灯させず一定時間は点灯させ続け、前記一定時間後に前記予備灯を消灯させることを特徴とする請求項１ないし７のいずれか記載の内視鏡用光源装置。
【発明の詳細な説明】
【技術分野】
【０００１】
本発明は、内視鏡に照明光を供給する内視鏡用光源装置に関する。
【背景技術】
【０００２】
内視鏡用の光源装置には、内視鏡の使用中に体腔（被検体）内を照明するための照明光を発する光源として、通常使用される主灯の他、何らかの原因で主灯が使用できなくなった時のため、予備灯が備えられている。主灯には照明光の光量が多いキセノンランプなどが用いられ、予備灯にはキセノンランプより照明光の光量は劣るものの比較的発熱量の少ないハロゲンランプなどが用いられる。
【０００３】
また、光源装置には、ランプ点灯時の発熱によって装置内に過剰な熱気が滞留しないように送風を行い、ランプを冷却するためのファンが設けられている。ファンが何らかの異常をきたし、その回転数が低下した場合や停止してしまった場合には、ランプが適正に冷却されず光源装置内には過剰な熱気が滞留してしまい、光源装置内の各部の損傷や劣化が懸念される。
【０００４】
そのため従来は、ファンの動作異常時に、点灯しているランプを直ちに消灯させるもの（特許文献１参照）、点灯している主灯を消灯させ、主灯に比べ発熱量の少ない予備灯の点灯に切り換え、発熱の上昇を抑えるもの（特許文献２参照）が提案されていた。
【特許文献１】特開２００６−１３６５２７号公報
【特許文献２】特開平９−１６８５１１号公報
【発明の開示】
【発明が解決しようとする課題】
【０００５】
しかしながら、特許文献１のような光源装置の場合、ファンの動作異常時には直ちにランプが消灯されるので、内視鏡が体腔内にある場合には、その視野は突然閉ざされ真っ暗になってしまう。また、特許文献２のような光源装置の場合、ファンの動作異常時に予備灯に切り換えられるので特許文献１のような不都合はないが、予備灯は主灯に比べ発熱が抑えられるものの照明光の光量が劣るという問題がある。そのため体腔内は主灯使用時よりも非常に暗くなり、体腔内における視野を確保することが困難になる。
【０００６】
視野が充分に確保されていない状態で体腔内から内視鏡を抜去する場合、体腔内を傷つける恐れがあるため危険であり、施術者、被検者の両者に不安を与える。体腔内の安全性を考慮すれば、ファンの動作異常時であっても、内視鏡の抜去時には体腔内における視野を充分に確保することが求められる。
【０００７】
本発明は、上記課題を鑑みてなされたものであり、主灯の点灯中にファンに異常が起こった場合でも、被検体内から内視鏡を安全に抜去するに充分な視野を確保することができる内視鏡用光源装置を提供することを目的とする。
【課題を解決するための手段】
【０００８】
上記目的を達成するために、本発明の内視鏡用光源装置は、コネクタ接続される内視鏡のライトガイドの入射端に配され、被検体内を照明するための照明光を発する光源であり、通常時に点灯される主灯、および主灯よりも照明光の光量が少なく、主灯が正常に点灯しない時に主灯の代用として点灯される予備灯と、光源を冷却するファンと、ファンの動作異常を検知する検知手段と、主灯の点灯中に検知手段でファンの動作異常が検知されたとき、主灯を直ちには消灯させず一定時間は点灯させ続け、一定時間後に主灯を消灯させる制御手段と、を備えることを特徴とする。
【０００９】
制御手段は、検知手段で前記ファンの動作異常が検知されたときに、主灯を点灯させるための電力を、通常の点灯時よりも下げ、この状態で一定時間点灯させ続けた後に消灯させる。
【００１０】
制御手段は、検知手段でファンの動作異常が検知されたときに、主灯を点灯させるための電力を、一定時間内で徐々に下げる。
【００１１】
制御手段は、検知手段でファンの動作異常が検知されたときに、主灯を点灯させるための電力を、点灯に足る下限値まで下げる。
【００１２】
制御手段は、検知手段でファンの動作異常が検知されたときに、主灯を一定時間点灯させた後、主灯を消灯させるとともに予備灯を点灯させ、予備灯を一定時間点灯させた後、前記予備灯を消灯させる。
【００１３】
主灯はキセノンランプであり、予備灯はキセノンランプを点灯させるための電力が、点灯に足る下限値に下げられた時のキセノンランプよりも発熱量が少ないハロゲンランプである。
【００１４】
主灯はＨＩＤランプであり、予備灯はＨＩＤランプを点灯させるための電力が、点灯に足る下限値に下げられた時のＨＩＤランプよりも発熱量が少ない白色ＬＥＤである。
【００１５】
制御手段は、予備灯の点灯中に検知手段でファンの動作異常が検知されたとき、予備灯を直ちには消灯させず一定時間は点灯させ続け、一定時間後に予備灯を消灯させる。
【発明の効果】
【００１６】
本発明によれば、主灯の点灯中にファンの動作異常が起こった場合にも、一定時間は主灯を点灯させ、予備灯よりも高い光量の照明光を保つので、被検体内から内視鏡を安全に抜去するに充分な視野を確保することができる。
【発明を実施するための最良の形態】
【００１７】
[第１実施形態]
図１に示すように、電子内視鏡システム２は、患者の体腔内を観察し撮影する電子内視鏡５と、内視鏡画像を生成するプロセッサ装置６と、内視鏡画像を表示するモニタ７と、体腔内を照明するための照明光を電子内視鏡５に供給する光源装置８とから構成されている。
【００１８】
電子内視鏡５は、体腔内に挿入される可撓性の挿入部２０と、挿入部２０の基端部分に連設され、施術者が手元で操作を行う操作部２１と、操作部２１に接続されるユニバーサルコード２２と、ユニバーサルコード２２とプロセッサ装置６、光源装置８とをそれぞれ接続する通信用コネクタ２３と、光源用コネクタ２４とから構成される。
【００１９】
図２に示すように、挿入部２０の先端部３０には、観察窓３１、照明窓３２が設けられている。観察窓３１の奥には、体腔内の像光を取り込むための光学系３３が取り付けられ、さらに光学系３３の奥には、ＣＣＤ３４が取り付けられている。なお、撮像素子としてはＣＣＤ３４に限らずＣＭＯＳを用いてもよい。
【００２０】
ＣＣＤ３４には、ユニバーサルコード２２を介してプロセッサ装置６との各種信号の遣り取りを媒介するための信号線３５、３６が接続されている。信号線３５、３６は、ユニバーサルコード２２及び通信用コネクタ２３を介してプロセッサ装置６に接続される。
【００２１】
照明窓３２の奥には、照射レンズ３７が設けられている。照射レンズ３７には、光源からの照明光を導くライトガイド３８の出射端が面している。ライトガイド３８は、多数の光ファイバー（例えば、石英からなる）を束ねて形成される。ライトガイド３８は、挿入部２０、操作部２１、ユニバーサルコード２２、及び光源用コネクタ２４の内部を通っており、光源用コネクタ２４の後方に入射端３９が露呈している。
【００２２】
プロセッサ装置６の前面には、電子内視鏡システム２全体の電源のオン／オフ操作をするための電源スイッチ４４（図１参照）が設けられている。プロセッサ装置６内には、電源スイッチ４４により駆動される主電源回路４５、タイミング／ドライバ回路４６、信号処理部４７、プロセッサ装置６を統括的に制御するＣＰＵ４８が備えられている。
【００２３】
タイミング／ドライバ回路４６は、通信用コネクタ２３、信号線３５を介し、ＣＣＤ３４に接続される。タイミング／ドライバ回路４６は、ＣＰＵ４８からの指示を受け、生成したタイミング信号（クロックパルス）により、ＣＣＤ３４の蓄積電荷の読み出しタイミング、ＣＣＤ３４の電子シャッタのシャッタ速度などを制御する。
【００２４】
信号処理部４７は、信号線３６を介してＣＣＤ３４に接続される。ＣＣＤ３４から出力された撮像信号は、信号処理部４７で増幅、Ａ／Ｄ変換などの各種画像処理が施されて映像信号とされ、プロセッサ装置６にケーブル接続されたモニタ７に内視鏡画像として表示される。
【００２５】
光源装置８は、主電源回路５０、システム電源回路５１、ランプ電源回路５２、光源装置８を統括的に制御するＣＰＵ５３、主灯であるキセノンランプ５４、予備灯であるハロゲンランプ５５、各ランプ５４、５５を保持し、回転することでいずれか一方のランプを選択的に入射位置（ライトガイド３８の入射端３９に対面する位置）に移動させるターレット５６、ターレットを回転させるモータ５７、ターレットの回転位置を検出する位置センサ５８、集光レンズ５９、各ランプ５４、５５を冷却するファン６０、ファン６０の回転の異常を検知する温度センサ６１から構成されている。
【００２６】
光源装置８の外面には、光源装置８の起動と停止とを指示する電源スイッチ６５、キセノンランプ５４の点灯と消灯とを指示するランプスイッチ６６、ファン６０の動作異常時に点灯して、施術者にその旨を報せる非常灯６８が設けられている（図１も参照）。
【００２７】
光源装置８の主電源回路５０は、電源スイッチ６５がオン操作されると、システム電源回路５１、ランプ電源回路５２に電源電圧を供給する。システム電源回路５１は、電源電圧を変圧してＣＰＵ５３に駆動電力を供給する。ランプスイッチ６６がオン操作されると、ＣＰＵ５３は、位置センサ５８からの検出信号に基づき、各ランプ５４，５５のうち入射位置にある方を点灯させるための点灯指示信号をランプ電源回路５２へ送るとともに、ファン６０の回転を指示する。
【００２８】
位置センサ５８は、ターレット５６の近傍に設けられ、各ランプ５４、５５のどちらが入射位置に位置しているかを検出し、ＣＰＵ５３に検出信号を入力する。位置センサ５８は、図示しない２組のフォトインタラプタから構成されたものであり、それぞれの発光素子と受光素子との間を、後述するターレット５６の突出部が通過するように、配置されている。
【００２９】
ターレット５６は円盤状であり、その中心にモータ５７に接続された回転軸７０が設けられている。ターレット５６の円盤状の面は、各ランプ５４、５５を保持するとともに、光源装置８背面のランプ切換スイッチ７１が操作されたことに応じてモータ５７によって回転され、各ランプ５４、５５の入射位置の切換を行う。各ランプ５４、５５は回転軸７０を中心として互いに１８０度対向する位置に設けられている。ターレット５６の回転軸７０は、照明光の光軸と平行になっており、常に各ランプ５４、５５のいずれか一方を入射位置に配置させている。
【００３０】
ターレット５６の円周部分には図示しない突出部が設けられている。この突出部はターレット５６が正位置にある（キセノンランプ５４が入射位置にある）場合、位置センサ５８の一方のフォトインタラプタの発光素子と受光素子との間を遮断する。そして、ターレット５６が回転し、逆位置（ハロゲンランプ５５が入射位置にある）に移動すると、突出部は他方のフォトインタラプタの発光素子と受光素子との間を遮断する。これにより、ＣＰＵ５３は、ターレット５６が正位置、または逆位置のどちらにあるかを判別することができる。
【００３１】
キセノンランプ５４とハロゲンランプ５５は、光源装置８の光源としてターレット５６に設置されている。キセノンランプ５４は、ランプ電源回路５２から印加された電力によって、アーク放電を発生させることで発光する。一方、ハロゲンランプ５５は白熱電球の一種であり、フィラメントに通電し、これを白熱させることで発光する。
【００３２】
キセノンランプ５４は、ハロゲンランプ５５に比べ高光量であり、フィラメントがないため長寿命である。キセノンランプ５４の放電による光量と発熱量は、印加する電力（電圧または電流）に比例し、印加電力を下げるとその光量と発熱量も低下する。印加電力は、キセノンランプ５４のアーク放電による発光を維持できる下限値まで下げることが可能である。なお、本実施形態に使用したキセノンランプ５４は、電力を下限値としたときの光量と発熱量が、ハロゲンランプ５５を定格電力で発光させた場合の光量と発熱量に比べ、高いものである。
【００３３】
ランプ電源回路５２は、主電源回路５０から供給される電源電圧を変圧し、ＣＰＵ５３からの点灯指示に基づき、各ランプ５４、５５のうち入射位置にある一方を点灯させる。
【００３４】
集光レンズ５９は、光源用コネクタ２４が接続されたとき、ライトガイド３８の入射端３９と、キセノンランプ５４またはハロゲンランプ５５との間に位置し、いずれか一方のランプから発せられた照明光を入射端３９へ集光する。集光レンズ５９で集光された照明光は、入射端３９からライトガイド３８によって照射レンズ３７まで導かれ、照明窓３２を通して体腔内を照明する。
【００３５】
ファン６０は、ＣＰＵ５３がランプ電源回路５２へ点灯指示信号を入力すると同時に回転駆動する。ファン６０は回転して送風を行い、各ランプ５４、５５を冷却する。ファン６０の近傍には、サーミスタなどの温度センサ６１が設置されている。ファン６０が正常な回転数を維持できなくなった場合や完全に停止してしまった場合、光源装置８内の冷却が適正に行われず、光源装置８内の温度はあらかじめ規定した安全値以上に上昇する。温度センサ６１は、安全値以上の温度の上昇を検知することで、ファン６０の回転の異常を検知し、ＣＰＵ５３へ検知信号を出力する。
【００３６】
電子内視鏡システム２で被検者の体腔内を観察する際には、図１のように電子内視鏡５、プロセッサ装置６、モニタ７、光源装置８をセットし、各電源をオン操作し各装置を起動させる。さらに光源装置８のランプスイッチ６６をオン操作すると、ＣＰＵ５３からランプ電源回路５２に点灯指示信号が入力され、キセノンランプ５４が点灯し、これと同時にファン６０が回転を開始する。キセノンランプ５４の点灯により、電子内視鏡５の照明窓３２から照明光が出射する。施術者は被検者の体腔内に挿入部２０を挿入させ、検査部位の観察を行う。観察終了後、体腔内から挿入部２０を抜去し、ランプスイッチ６６のオフ操作をする。ランプスイッチ６６をオフ操作すると、キセノンランプ５４が消灯し、ファン６０が停止する。
【００３７】
次に、電子内視鏡５が体腔内にあってキセノンランプ５４が点灯中に、ファン６０が何らかの理由により正常な回転数を保つことができなくなった場合、または完全に回転を停止した場合の処理について、図３を用いて以下に説明する。
【００３８】
ステップ（以下、Ｓと略す）１において、温度センサ６１によりファン６０の動作異常が検知され、その検知信号がＣＰＵ５３に入力されると（Ｓ１でＹＥＳ）、ＣＰＵ５３によって非常灯６８が点灯する。ＣＰＵ５３はこの時から一定時間はキセノンランプ５４を点灯させ続け、その後キセノンランプ５４を消灯させ（Ｓ２）、非常灯６８を消灯させる。ファン６０の動作異常が検知されなければ（Ｓ１でＮＯ）、そのままキセノンランプ５４の点灯を続行する（Ｓ３）。なお、この一定時間とは、体腔内から挿入部２０を抜去するに充分な時間（例えば最低でも１分以上）であり、かつ、光源装置８内の各部の劣化や損傷が発生せず光源装置８内の安全が保たれる範囲内の時間である。
【００３９】
このように本実施形態では、ファン６０の動作異常時に、直ちにキセノンランプ５４を消灯させないので、体腔内における視野が突然閉ざされることはない。また、一定時間は主灯であるキセノンランプ５４を点灯させ続けるため、主灯に比べ光量の劣る予備灯に直ちに切り換える従来の光源装置に比べ、体腔内における視野を充分に確保することができる。これにより、電子内視鏡５の体腔内からの抜去をスムーズに行うことができ、体腔内を不用意に傷つけたり、施術者や被検者に不快感を与えたりすることがない。また、キセノンランプ５４は一定時間後に消灯されるので、一定時間を越えての使用や消灯し忘れによって、光源装置８内が過剰に熱せられることはない。
【００４０】
[第２実施形態]
次に、第２実施形態について図４を示し以下に説明する。なお、第１実施形態と共通する部品については図１及び図２にて付した符号を用いて説明し、また重複する内容については説明を割愛する。
【００４１】
図４において、温度センサ６１によりファン６０の動作異常が検知されると（Ｓ１でＹＥＳ）、非常灯６８が点灯する。ＣＰＵ５３は、キセノンランプ５４の印加電力を、そのアーク放電による発光を維持できる下限値まで下げる（Ｓ２１）。キセノンランプ５４の放電による発熱量は電力に比例して下がるので、一定時間内における光源装置８内の熱気の上昇を抑えることができる。したがって、第１実施形態よりも、一定時間を長くとることができる。
【００４２】
印加電力を下げる方法については、以下に説明する２つの態様を用いることができる。第一の方法は、印加電力を急激には低下させず経時的に低下させ、一定時間後に下限値になるようにする。照明光の光量も経時的に低下するため、体腔内における視野は急激に暗くなることはなく、施術者の視界を徐々に慣らしながら光量を低下させることができる。第二の方法は、印加電力を直ちに下限値に低下させる。光源装置８内の熱気の上昇を速やかに抑えることができる。いずれの場合も、ＣＰＵ５３は、一定時間後キセノンランプ５４を消灯させ（Ｓ２）、非常灯６８を消灯させる。
【００４３】
なお、上記に述べた第一の方法と第二の方法とでは、光源装置８内の温度の変化が違うが、いずれの方法においても、ファン６０の動作異常が検知されたとき以降もキセノンランプ５４を点灯させる一定時間とは、体腔内から挿入部２０を抜去するに充分な時間（例えば最低でも１分以上）であり、かつ、光源装置８内の各部の劣化や損傷が発生せず光源装置８内の安全が保たれる範囲内の時間である。但し、上述のごとく、本実施形態の一定時間は、第１実施形態よりも長くなる。
【００４４】
[第３実施形態]
以下に第３実施形態について図５を用いて説明する。なお、上記各実施形態と重複する部分については説明を割愛する。
【００４５】
図５において、温度センサ６１によりファン６０の動作異常が検知されると（Ｓ１でＹＥＳ）、非常灯６８が点灯する。ＣＰＵ５３は、この時から一定時間はキセノンランプ５４を点灯させ、その後消灯させる（Ｓ２）。ファン６０の動作異常が検知されてから一定時間後に消灯するまでのキセノンランプ５４の印加電力は、第１実施形態で示したように、通常点灯時と同じか、あるいは第２実施形態に示したように、アーク放電による発光を維持できる下限値までは低下させてもよい（図４参照）。
【００４６】
次に、ＣＰＵ５３は、モータ５７を回転させターレット５６を逆位置へと移動させる。ＣＰＵ５３は、位置センサ５８からターレット５６が逆位置にあるとの検出信号を受信するまで、モータ５７を駆動させ続ける。この検出信号を受信すると、ＣＰＵ５３はモータ５７を停止させ、これによりターレット５６の逆位置への移動が完了する。このようにして、キセノンランプ５４の消灯後、キセノンランプ５４に代えてハロゲンランプ５５が入射位置に配置される（Ｓ３１）。
【００４７】
ＣＰＵ５３はランプ電源回路５２にハロゲンランプ５５の点灯を指示し、ハロゲンランプ５５が点灯する（Ｓ３２）。そしてＣＰＵ５３は、一定時間後ハロゲンランプ５５を消灯させ（Ｓ３３）、非常灯６８を消灯させる。
【００４８】
本実施形態では、キセノンランプ５４を一定時間点灯後に消灯させるとともに、ハロゲンランプ５５に切り換えて点灯させるので、キセノンランプ５４の点灯中に、万が一挿入部２０を体腔内から抜去しきれない場合でも、体腔内における視野が突然閉ざされることがない。また、ハロゲンランプ５５は、印加電力が下限値に下げられた場合のキセノンランプ５４よりも発熱量が少ないので、キセノンランプ５５を一定時間後もなお点灯させ続ける場合よりも、光源装置８内の熱気の上昇を抑えることができる。
【００４９】
なお、本実施形態に示した、ファン６０の動作異常が検知されて以降、キセノンランプ５４からハロゲンランプ５５に切り換え、一定時間点灯後にハロゲンランプ５５を消灯させるまでの時間は、適宜設定してよい。
【００５０】
ハロゲンランプ５５の点灯時の発熱量は、キセノンランプ５４の印加電力がアーク放電による発光が可能な下限値に下げられたときの発熱量より少ない。そのため、キセノンランプ５４の印加電力を下限値に下げ、一定時間後もなおキセノンランプ５４を点灯させ続ける場合よりも、一定時間後にハロゲンランプ５５に切り換えて点灯させる方が、光源装置８内の熱気の上昇を抑えることができる。
【００５１】
[第４実施形態]
以下に第４実施形態について図６を用いて説明する。なお、上記各実施形態と重複する部分については説明を割愛する。
【００５２】
上述のように、電子内視鏡５の挿入部２０を体腔内に挿入し施術している最中に、キセノンランプ５４が何らかの原因で使用できなくなった場合は、ランプ切換スイッチ７１を操作して、ハロゲンランプ５５に切り換える。このようなハロゲンランプ５５の点灯中に、ファン６０の動作異常が発生することも有り得る。その対処方法を以下に説明する。
【００５３】
図６において、ファン６０の動作異常が検知されたとき、ＣＰＵ５３は、位置センサ５８によりターレット５６が逆位置（ハロゲンランプ点灯）と認識した場合（Ｓ４１でＹＥＳ）、一定時間はハロゲンランプ５５を点灯させ続ける。その後、ハロゲンランプ５５を消灯させる（Ｓ３３）。
【００５４】
また、キセノンランプ５４の点灯中にファン６０の動作異常が検知された場合（Ｓ４１でＮＯ）については、第３実施形態と同様であり、キセノンランプ５４を一定時間点灯させ後に消灯させ（Ｓ２）、ハロゲンランプ５５に切り換え（Ｓ３１）、ハロゲンランプを点灯させ（Ｓ３２）、一定時間後にハロゲンランプ５５を消灯させる（Ｓ３３）。
【００５５】
なお、ハロゲンランプ５５の点灯中にファン６０の動作異常が検知されたときに、ハロゲンランプ５５を点灯させる一定時間とは、体腔内から挿入部２０を抜去するに充分な時間（例えば最低でも１分以上）であり、かつ、光源装置８内の各部の劣化や損傷が発生せず光源装置８内の安全が保たれる範囲内の時間である。また、この一定時間は、ハロゲンランプ５５はキセノンランプ５４に比べ、発熱量が少ないので、キセノンランプ５５を一定時間点灯させる場合よりも、長い時間となる。
【００５６】
なお、上記各実施形態では、主灯として高光量であるキセノンランプを用いているが、代わりに他の高光量な放電ランプを用いてもよく、例えば、ＨＩＤ（Ｈｉｇｈ  Ｉｎｔｅｎｓｉｔｙ  Ｄｉｓｃｈａｒｇｅ）ランプなどを用いてもよい。また、予備灯としてハロゲンランプを用いているが、予備灯には、発熱量が主灯よりも少なければ他のランプを用いてもよく、例えば白色ＬＥＤなどを用いてもよい。また主灯と予備灯は、主灯よりも予備灯の発熱量が少なければ同種のランプでも、異種のランプでも問題はない。
【００５７】
なお、上記各実施形態では、ファン６０の動作異常を検知するために、温度センサ６１を用いているが、ファン６０の動作異常を検知できれば他のどのような方法を用いてもよく、例えばフォトセンサを用いてもよい。その場合、ファン６０の回転中心近くの同一円周上に、光反射領域と光吸収領域とを交互に配置した被検出部を設け、それに対向するように、反射型フォトインタラプタ等を設置することで、ファン６０の回転異常を検知してもよい。フォトインタラプタは、光反射領域と光吸収領域とを交互に検知するため、その出力はＨｉｇｈ、Ｌｏｗが一定周期で繰り返される。ファン６０の回転異常が発生した場合は、出力の周期が長くなるか、出力がＨｉｇｈまたはＬｏｗ一定となる。
【００５８】
また、上記各実施形態では、ターレット５６の回転位置を検知する位置センサ５８として、２組のフォトインタラプタを用いているが、ターレット５６の正位置と逆位置とを判別できれば他のどのような方法でもよく、例えば、２組のリミットスイッチを位置センサとして用いてもよい。その場合、ターレット５６が正位置にある時には、ターレット５６の突出部が一方のリミットスイッチを押圧し、同様にターレット５６が逆位置にある時には、突出部が他方のリミットスイッチを押圧するように設置し、各リミットスイッチからの信号によってターレット５６の位置を検知する。
【図面の簡単な説明】
【００５９】
【図１】電子内視鏡システムの構成を概略的に示す斜視図である。
【図２】電子内視鏡システムの構成を示すブロック図である。
【図３】第１実施形態に係るキセノンランプの制御を示すフローチャートである。
【図４】第２実施形態に係るキセノンランプの制御を示すフローチャートである。
【図５】第３実施形態に係るキセノンランプおよびハロゲンランプの制御を示すフローチャートである。
【図６】第４実施形態に係るキセノンランプおよびハロゲンランプの制御を示すフローチャートである。
【符号の説明】
【００６０】
２  電子内視鏡システム
５  電子内視鏡
６  プロセッサ装置
８  光源装置
３８  ライトガイド
５２  ランプ電源回路
５３  ＣＰＵ
５４  キセノンランプ
５５  ハロゲンランプ
５６  ターレット
６０  ファン
６１  温度センサ
【図１】
2010000184.tif 000003
【図２】
2010000184.tif 000004
【図３】
2010000184.tif 000005
【図４】
2010000184.tif 000006
【図５】
2010000184.tif 000007
【図６】
2010000184.tif 000008